(57)【要約】【課題】投入メダル（例えば、自店の遊技メダルと他店の遊技メダル）を分別回収できるコインセレクタ及びスロットマシンを提供することにある。【解決手段】第１基板３０と第２基板４０との間に形成されたコイン通過路５０をコイン９０が、コイン識別装置１００、コインセンサ６０、自店コイン回収用電磁式キッカー７０及び他店コイン回収用電磁式キッカー７５の順に通過する。コイン識別装置１００の検出信号により、コイン通過路５０を通過中のコイン９０が自店コインか他店コインかが判定され、正規サイズの自店コインは自店コイン回収用電磁式キッカー７０のキック動作により自店コイン回収口５４からホッパー内へ落下する。正規サイズの他店コインは、他店コイン回収用電磁式キッカー７５のキック動作により他店コイン回収ボックス内へ落下する。一方、小径サイズコインは、コイン排出口５２から排出され、返却口へ送られる。【選択図】図２
2009034181.tif 000002
【特許請求の範囲】
【請求項１】
コイン投入口から投入されコイン通過路を通過するコインの内、受け入れないコインをコイン排出口から排出して返却口へ戻すコインセレクタにおいて、
投入されたコインの種類を識別するコイン識別装置と、
前記コイン通過路中に出入するキッカーヘッドを備える複数の回収用電磁式キッカーと、
前記キッカーヘッドの突出と退出とを制御する制御部とを具備し、
前記制御部は、前記コイン識別装置が識別したコインの種類に応じて前記複数の回収用電磁式キッカーが備えるキッカーヘッドの突出と退出とを制御すること、
を特徴とするコインセレクタ。
【請求項２】
コイン投入口から投入されコイン通過路を通過するコインの内、受け入れないコインをコイン排出口から排出して返却口へ戻すコインセレクタを具備するスロットマシンにおいて、
投入されたコインの種類を識別するコイン識別装置と、
前記コイン通過路中に出入するキッカーヘッドを備える複数の回収用電磁式キッカーと、
前記キッカーヘッドの突出と退出とを制御する制御部とを具備し、
前記制御部は、前記コイン識別装置が識別したコインの種類に応じて前記複数の回収用電磁式キッカーが備えるキッカーヘッドの突出と退出とを制御すること、
を特徴とするスロットマシン。
【請求項３】
コインをコイン投入口から投入し、コイン通過路を通過したコインの内、受け入れるコインをコイン回収口から回収する一方、受け入れないコインをコイン排出口から排出して返却口へ戻すコインセレクタにおいて、
投入された前記コインが自店コインか否かを識別するコイン識別装置と、
前記コインが通路する経路の切り換えを制御する制御部とを具備し、
前記制御部は、通過したコインを受け入れた場合、前記コイン識別装置が前記コインを自店コインと識別したとき、前記コインが通路する経路を前記コイン回収口へ切り換える一方、自店コインと識別しなかったとき、前記コインが通路する経路を他店コイン回収へ切り換えること、
を特徴とするコインセレクタ。
【請求項４】
コインをコイン投入口から投入し、コイン通過路を通過したコインの内、受け入れるコインをコイン回収口から回収する一方、受け入れないコインをコイン排出口から排出して返却口へ戻すコインセレクタを具備するスロットマシンにおいて、
投入された前記コインが自店コインか否かを識別するコイン識別装置と、
前記コインが通路する経路の切り換えを制御する制御部とを具備し、
前記制御部は、通過したコインを受け入れた場合、前記コイン識別装置が前記コインを自店コインと識別したとき、前記コインが通路する経路を前記コイン回収口へ切り換える一方、自店コインと識別しなかったとき、前記コインが通路する経路を他店コイン回収へ切り換えること、
を特徴とするスロットマシン。
【請求項５】
コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタにおいて、
前記自店コイン回収用電磁式キッカー及び前記他店コイン回収用電磁式キッカーへの通電と非通電を切り換えて各キッカーヘッドの前記コイン通過路への突出と退出とを制御する制御部を具備し、
前記コイン識別装置は、投入されたコインが自店コインか否かを検出し、
前記コインセンサは、通過するコインの下縁部及び上縁部を検知し、
前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させること、
を特徴とするコインセレクタ。
【請求項６】
請求項５に記載のコインセレクタにおいて、
前記制御部は、コイン投入受け付け可否信号が受け付け不可の場合、各キッカーヘッドを共に退出させること、
を特徴とするコインセレクタ。
【請求項７】
請求項５又は請求項６に記載のコインセレクタにおいて、
前記コインセンサは、通過するコインの下縁部を検知する下部センサ及び通過する規定コインの上縁部を前記下部センサよりも前に検知する一方、前記規定コインより小径の規定外コインを検出しない位置に設けられた上部センサからなること、
を特徴とするコインセレクタ。
【請求項８】
コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタを具備するスロットマシンにおいて、
前記自店コイン回収用電磁式キッカー及び前記他店コイン回収用電磁式キッカーへの通電と非通電を切り換えて各キッカーヘッドの前記コイン通過路への突出と退出とを制御する制御部を具備し、
前記コイン識別装置は、投入されたコインが自店コインか否かを検出し、
前記コインセンサは、通過するコインの下縁部及び上縁部を検知し、
前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させること、
を特徴とするスロットマシン。
【発明の詳細な説明】
【技術分野】
【０００１】
本発明は、コインを遊技媒体として用いるパチスロ機に代表される回胴式遊技機（スロットマシン）や、硬貨を投入して商品と交換する自動販売機等に用いられるコインセレクタ及び当該コインセレクタを備えるスロットマシンに関する。なお、この明細書において用いる「コイン」は、硬貨、メダルあるいはトークンを含む小さい円板体の全てを意味するものとする。
【背景技術】
【０００２】
従来より、パチスロ機と称される回胴式遊技機においては、規定外コイン、例えば硬貨等の使用を阻止するために、投入されるコインが規定のものか規定外のものかを判別するコインセレクタが装備されている。従来のコインセレクタの代表的なものは、例えば特許文献１に記載されている。これの構造を以下に説明する。
【０００３】
【特許文献１】特許第３４４１８０３号公報
【０００４】
従来の代表的なコインセレクタは、第１基板と第２基板の間に、自重によってコインが通過するように傾斜して形成されたコイン通過路を有している。第１基板は、コイン通過路を通過するコインを第２基板の側に付勢された爪や、電磁ソレノイドによりコインの通過を阻止するキッカーなどを備えており、第２基板には、規定コインより小径の規定外コインが排出されるように寸法設定された長孔状のコイン排出孔が、コイン通過路に沿って形成されている。コイン通過路の下流部には、コイン数をカウントするためのカウントセンサが設けられている。
【０００５】
規定コインより大径の規定外コインは、そのようなコインがコイン投入口から投入できないように投入口の寸法が制限されることにより排除される。規定コイン及びこれより小径の規定外コインはコイン投入口から基板間のコイン通過路に進入する。規定コインはコイン通過路を付勢爪、キッカー、カウントセンサのところの順に支障なく通過し、下流端のコイン出口から排出され、ホッパーへ送られる。規定コインより小径の規定外コインは、前記付勢爪による押圧によりカウント前に第２基板のコイン排出孔から排出され、返却口に送られる。コイン投入受け付け不可時には、電磁ソレノイドがオフ状態からオン状態に切り替わり、キッカーがコイン通過路に突出し、コイン通過を阻止する。これにより、コインは全て第２基板のコイン排出孔から強制排出され、返却口へ戻される。
【０００６】
コイン通過路におけるメダル詰まりを解消するために、第２基板は固定基板である第１基板の前面に上ヒンジにより第１基板から離間自在に取り付けられており、スフリングにより第１基板の側へ付勢されている。コイン通過路においてメダル詰まりが発生したときは、遊技者が、第２基板に連繋された投入メダル詰まり返却ボタンを操作する。これにより、第１基板から第２基板が離間し、コイン通過路に詰まっていたコインがコイン返却口へ排出される。
【０００７】
このような遊技機用コインセレクタにおいては次のような問題がある。
【０００８】
規定メダルより小径の規定外メダルの排除には、側方からの付勢爪によるコイン押圧、コイン排出孔からの排出という機械的手段が用いられていた。側方からの付勢爪によるコイン押圧により、コインには、進行方向を変える（第２基板側へ向きを変える）ような力が加わる。また、コイン通過路は狭く、第２基板に設けられたコイン排出孔とコインとの寸法差も小さい。これらのために、コイン詰まりの発生頻度が高かった。
【０００９】
コイン通過路においては、コインは、コイン投入受け付け不可時に作動するキッカーを通過した後にカウントサンセを通過する。このため、カウントオーバー後にもキッカーをスルーすることが多々ある。これは飲み込みと呼ばれる問題現象である。
【００１０】
キッカーを駆動する電磁ソレノイドは、オン状態でキッカーをコイン通過路から退避させ、オフ状態でキッカーをコイン通過路に突出させる。このため、待ち受けの間中、通電状態となり、遊技されない日は終日、通電状態が続いてコイルの発熱が問題になる。
【００１１】
本願出願人は、コイン通過路におけるコイン詰まり及び飲み込み現象を効果的に防止できるコインセレクタを提供すること、及びキッカー用ソレノイドの発熱の問題を解決できるコインセレクタを提供することを目的として特願２００７−０９２６５９を出願しているが、以下の関連技術を出願後に発見した。
【００１２】
【特許文献２】特開平５−１６８７４４号公報
【特許文献３】特開２００５−２６１９１１号公報
【特許文献４】特開平７−８５９９号公報
【特許文献５】特開２００１−１７６１１号公報
【特許文献６】特開２００６−４３１５号公報
【発明の開示】
【発明が解決しようとする課題】
【００１３】
ところで、従来よりパチンコ遊技場等にあるパチスロでスロットゲームを行う場合、店内にある自動販売機又はパチスロ自体にて遊技メダル（「遊技コイン」ともいう）を購入し、その遊技メダルによりスロットゲームを行っているが、遊技者は予め隠し持った偽造メダルや他店の遊技メダルを本来の遊技メダル中に混入して不正使用することが多々あった。
【００１４】
この為、パチンコ遊技場等では、閉店後に自店の遊技メダルと他店の遊技メダルとを分別し、他店メダルを廃棄する作業を行っており、無駄な時間と人件費や光熱費等が発生していた。
【００１５】
本発明は、上記のような課題を解決するために成されたものであり、コイン通過路におけるコイン詰まり及び飲み込み現象を効果的に防止できるコインセレクタ（特願２００７−０９２６５９）を利用・改良することにより、自店の遊技メダルと他店の遊技メダルとを分別回収できるコインセレクタ及びスロットマシンを提供することにある。
【００１６】
なお、自店と他店の遊技メダルを分別回収する従来技術として以下の公報が公開されている。
【００１７】
【特許文献７】特開２００６−２９６９８９号公報
【特許文献８】特開２００４−２２２８７７号公報
【特許文献９】特開２００２−３５８５５０号公報
【特許文献１０】特開平１０−１７７６６４号公報
【特許文献１１】特開平１０−９７６６０号公報
【課題を解決するための手段】
【００１８】
上記目的を達成する為に、本発明のコインセレクタは、コイン投入口から投入されコイン通過路を通過するコインの内、受け入れないコインをコイン排出口から排出して返却口へ戻すコインセレクタにおいて、投入されたコインの種類を識別するコイン識別装置と、前記コイン通過路中に出入するキッカーヘッドを備える複数の回収用電磁式キッカーと、前記キッカーヘッドの突出と退出とを制御する制御部を具備し、前記制御部は、前記コイン識別装置が識別したコインの種類に応じて前記複数の回収用電磁式キッカーが備えるキッカーヘッドの突出と退出とを制御することを特徴とする。
【００１９】
本発明のスロットマシンは、コイン投入口から投入されコイン通過路を通過するコインの内、受け入れないコインをコイン排出口から排出して返却口へ戻すコインセレクタを具備するスロットマシンにおいて、投入されたコインの種類を識別するコイン識別装置と、前記コイン通過路中に出入するキッカーヘッドを備える複数の回収用電磁式キッカーと、前記キッカーヘッドの突出と退出とを制御する制御部を具備し、前記制御部は、前記コイン識別装置が識別したコインの種類に応じて前記複数の回収用電磁式キッカーが備えるキッカーヘッドの突出と退出とを制御することを特徴とする。
【００２０】
本発明のコインセレクタは、コインをコイン投入口から投入し、コイン通過路を通過したコインの内、受け入れるコインをコイン回収口から回収する一方、受け入れないコインをコイン排出口から排出して返却口へ戻すコインセレクタにおいて、投入された前記コインが自店コインか否かを識別するコイン識別装置と、前記コインが通路する経路の切り換えを制御する制御部を具備し、前記制御部は、通過したコインを受け入れた場合、前記コイン識別装置が前記コインを自店コインと識別したとき、前記コインが通路する経路を前記コイン回収口へ切り換える一方、自店コインと識別しなかったとき、前記コインが通路する経路を他店コイン回収へ切り換えることを特徴とする。
【００２１】
本発明のスロットマシンは、コインをコイン投入口から投入し、コイン通過路を通過したコインの内、受け入れるコインをコイン回収口から回収する一方、受け入れないコインをコイン排出口から排出して返却口へ戻すコインセレクタを具備するスロットマシンにおいて、投入された前記コインが自店コインか否かを識別するコイン識別装置と、前記コインが通路する経路の切り換えを制御する制御部を具備し、前記制御部は、通過したコインを受け入れた場合、前記コイン識別装置が前記コインを自店コインと識別したとき、前記コインが通路する経路を前記コイン回収口へ切り換える一方、自店コインと識別しなかったとき、前記コインが通路する経路を他店コイン回収へ切り換えることを特徴とする。
【００２２】
本発明のコインセレクタは、コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタにおいて、前記自店コイン回収用電磁式キッカー及び前記他店コイン回収用電磁式キッカーへの通電と非通電を切り換えて各キッカーヘッドの前記コイン通過路への突出と退出とを制御する制御部を具備し、前記コイン識別装置は、投入されたコインが自店コインか否かを検出し、前記コインセンサは、通過するコインの下縁部及び上縁部を検知し、前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させることを特徴とする。
【００２３】
本発明のコインセレクタにおいては、前記制御部は、コイン投入受け付け可否信号が受け付け不可の場合、各キッカーヘッドを共に退出させることを特徴とする。
【００２４】
本発明のコインセレクタにおいては、前記コインセンサは、通過するコインの下縁部を検知する下部センサ及び通過する規定コインの上縁部を前記下部センサよりも前に検知する一方、前記規定コインより小径の規定外コインを検出しない位置に設けられた上部センサからなることを特徴とする。
【００２５】
本発明のスロットマシンは、コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタを具備するスロットマシンにおいて、前記自店コイン回収用電磁式キッカー及び前記他店コイン回収用電磁式キッカーへの通電と非通電を切り換えて各キッカーヘッドの前記コイン通過路への突出と退出とを制御する制御部を具備し、前記コイン識別装置は、投入されたコインが自店コインか否かを検出し、前記コインセンサは、通過するコインの下縁部及び上縁部を検知し、前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させることを特徴とする。
【００２６】
電磁式キッカーは、オフ状態でキッカーをコイン通過路から退出させ、オン状態でキッカーをコイン通過路に進入させる構成が好ましく、コインセンサで規定コインが検出されたときにオン状態になり、規定外コインが検出されたときにオフ状態となる構成がより好ましい。
【００２７】
前者の構成によると、コイン投入受け付け不可時及び停電時には、電磁ソレノイドがオフ状態を維持し、ソレノイドの発熱の問題を解決できる。後者の構成によると、投入されたコインが規定外コインの場合はそのコインがコイン通過路をスルーして第１の排出口から排出される。投入されたコインが規定コインの場合は、そのコインがキッカーにより側方から突かれて第２のコイン排出口から強制排出される。このため終日、通電状態が続くような事態が回避され、ソレノイドの発熱の問題がより効果的に解決される。
【００２８】
コインセンサは、コイン通過路の下縁部にてコインを検知する第１のフォトセンサと、コイン通過路の上縁部にてコインを検知する第２のフォトセンサとの組合せが好ましい。第１のフォトセンサのオンオフでコインの通過が検知され、第２のフォトセンサのオンオフで小径の規定外コインが検知される。
【００２９】
正規コインより大径の規定外コインについては、コイン通過路の上流端に開口するコイン投入口を、その規定外コインが挿入不能なサイズに設計することにより、投入を阻止できる。
【発明の効果】
【００３０】
本発明のコインセレクタにおいて、制御部はコイン識別装置が識別したコインの種類に応じて複数の回収用電磁式キッカーが備えるキッカーヘッドの突出と退出とを制御することにより、投入されたコインを効率よく分別回収することができる。
【００３１】
本発明のコインセレクタは、第１基板と第２基板との間に形成された自重によるコイン通過路の上流端（コイン投入口）と下流端（第１のコイン排出口）の間にコインセンサを設けると共に、コインセンサの下流側に位置して電磁式キッカーを第２のコイン排出口と共に設けることにより、コイン通過路におけるコイン詰まり及び飲み込み現象を効果的に防止できる。
【００３２】
また、電磁式キッカーとして、オフ状態でキッカーをコイン通過路から退出させ、オン状態でキッカーをコイン通過路に進入させる構成のものを使用し、好ましくは、コインサンサで正規コインが検出されたときにオン状態になり、不正コインが検出されたときにオフ状態となる構成のものを使用することにより、キッカー用ソレノイドの発熱の問題を効果的に解決できる。
【００３３】
特に、本発明のコインセレクタ及びスロットマシンは、コインセンサが通過するコインの上縁部を検知しなかった場合（つまり、小径コインの場合）、非通電として各キッカーヘッドを共に退出させる一方、コインセンサが通過するコインの上縁部及び下縁部を共に検知した場合（つまり、正規径コインの場合）、コイン識別装置が自店コインを検出したとき、自店コイン回収用電磁式キッカーのキッカーヘッドを退出位置から突出させてホッパー内へ落下させるのに対し、他店コインを検出したときには、他店コイン回収用電磁式キッカーのキッカーヘッドを退出位置から突出させて他店コイン回収ボックスに落下させて回収することが可能となる。
【発明を実施するための最良の形態】
【００３４】
以下、本発明の実施形態を図面に基づいて詳細に説明する。図１は本発明のコインセレクタが用いられた回胴式遊技機（スロットマシン）の正面図である。
【００３５】
図１に示すように、本実施形態のコインセレクタが搭載された回胴式遊技機１はパチスロ機である。この回胴式遊技機１は、四角形の箱体内に回転ドラムを内蔵した筐体（図示省略）と、筐体の正面側に開閉自在に取付けられた前扉１ｂとを備えている。
【００３６】
回胴式遊技機１の本体である筐体は、中段部にドラム部２を内蔵している。ドラム部２は、横に並んだ３つの縦型の回転ドラム、すなわち左ドラム２ａ、中ドラム２ｂ及び右ドラム２ｃにより構成される。各回転ドラムの内部には、回胴部図柄表示ＬＥＤが設けられており、各種演出に応じて発光（点灯や点滅）又は消灯する。なお、パチンコ機や液晶表示装置での表示を主とする特殊な回胴式遊技機（例えば、ロデオ社製パチスロ機の「カイジ」）の場合は、小型のドラム部２が前扉１ｂに取り付けられている。
【００３７】
筐体内のドラム部２より下方には、他の回胴式遊技機と同様にメダル払出装置、電源部が設けられ（図示省略）、電源部の電源スイッチをオン状態にすることにより、各回路ブロックに電源を供給し、初期チェックや初期設定の後、変動表示ゲームを実行させるものである。
【００３８】
回胴式遊技機の顔とも言うべき前扉１ｂは、前記筐体の正面側に片ヒンジ結合により開閉可能に取付けられている。この前扉１ｂにおいては、高級感の創出やデザイン性の要求で独特の金属感が求められており、通常のクロムめっき、ダーククロムめっき、本物の硬質金めっき、メタライジング（めっき）やサテン調（めっき）などを樹脂素材に付加し華やかさが演出されている。
【００３９】
前扉１ｂの中段からその上側にかけての目立つ部分には、四角形の透明パネル２１が嵌め込まれた角窓が設けられている。角窓には、透明パネル２１の裏側に位置してデザインパネル２２が取り付けられている。
【００４０】
デザインパネル２２は、ゲーム状況に応じて各種演出を行う表示演出装置１１（又は映像装置）を取り付ける表示演出装置取付部（図示省略）が形成された上面部２２ａ、図柄表示窓３が形成された中面部２２ｂ、及び発光表示装置が取り付けられる下面部２２ｃとで形成された底面部２２ｄを有する。
【００４１】
デザインパネル２２の中面部２２ｂには、四角形の図柄表示窓３が設けられている。この図柄表示窓３により、ドラム部２に貼り付けられている図柄が透明パネル２１を通して目視可能となる。この図柄表示窓３には、横方向に延びる３本の有効ラインと、斜め方向に交差する２本の有効ラインとの合計５本の有効ラインが、左ドラム２ａと中ドラム２ｂ及び中ドラム２ｂと右ドラム２ｃを結ぶ線で目立つように表示されている。有効ラインの下側には、回胴部ライン表示ＬＥＤが埋め込まれており、入賞時に点灯又は点滅するようになっている。
【００４２】
図柄表示窓３が設けられた中面部２２ｂの下側に位置する下面部２２ｃには、表示ＬＥＤブロック４が設けられている。表示ＬＥＤブロック４は、投入枚数ＬＥＤ、コイン貯留枚数表示ＬＥＤ、コイン払出枚数表示ＬＥＤ及びナビゲーションＬＥＤの表示ＬＥＤ群で構成される。  前扉１ｂには更に、透明パネル２１が嵌め込まれた角窓の下側に位置して、遊技コイン投入口５、清算ボタン６、１ベッドボタン７、マックスベッドボタン８、スタートレバー９、３つの停止ボタン１０ａ，１０ｂ及び１０ｃを有する停止ボタン部１０、ドア鍵穴１４、スペシャルボタン１９及び投入メダル詰まり返却ボタン２８が設けられている。これらは、前扉１ｂの中段部正面の操作部に集中的に配置されている。
【００４３】
遊技コイン投入口５は、ドラム部２（回転ドラム）を回転及び停止させる変動表示ゲームを開始させるための遊技コイン（遊技媒体であり、メダルという場合もある）を投入するところである。なお、遊技コイン投入口５の両サイドにはコイン投入表示ＬＥＤ５ａ及び５ｂが設けられており、コインが投入不能な場合には赤色（第一の色）で、一方コインが投入可能であって遊技用に加算表示されるときには青色（第二の色）で、コイン貯留装置に加算表示されるときには緑色（第三の色）で点灯する。なお、コイン投入不能な場合には、消灯としてもよい。  精算ボタン６は、コイン貯留装置（図示せず）の起動と解除及び投入コインと貯留コインの精算に使用する。１ベットボタン７は、遊技を行うためにコイン貯留装置の貯留コインを１枚投入するときに使用する。マックスベットボタン８は、遊技を行うためにコイン貯留装置の貯留コインを最大数である３枚投入するときに使用する。なお、マックスベットボタン３の内部には、ＬＥＤが設けられており、マックスベットボタン３が操作可能な状態のときに点灯するようになっている。
【００４４】
スタートレバー９は、回胴回転指示手段の一部であり、遊技を行うために所定数の遊技メダルを投入後、ドラム部２を一斉に始動させるときに使用する。
【００４５】
停止ボタン部１０は、回転しているドラム部２を停止させるときに使用され、操作しやすいように操作部の正面中央部分に配置されている。この停止ボタン部１０には、ストップスイッチである左停止ボタン１０ａ、中停止ボタン１０ｂ及び右停止ボタン１０ｃの３つのボタンが横に並んで設けられており、ドラム部２が回転中にこれら操作することにより、それぞれのボタンに対応する左ドラム２ａ、中ドラム２ｂ及び右ドラム２ｃを停止させることができる。なお、停止ボタン部が操作可能の場合には、停止ボタン１０ａ、停止ボタン１０ｂ及び停止ボタン１０ｃに内蔵されたＬＥＤが点灯するようになっている。
【００４６】
ドア鍵穴１４は、ドアキーにより回胴式遊技機本体１の前扉１ｂを開けるときや、打ち止めの解除及びエラーによる遊技中止の解除の際に使用される。
【００４７】
スペシャルボタン１９は、表示演出装置１１に表示される各種ゲームやその映像演出に応じて要求される情報（例えば、戦闘機の機銃操作や爆弾投下、登場人物の移動方向等の入力情報）を、遊技者自身が入力する時に使用される。なお、このスペシャルボタン１９によって入力される情報は、後述する副基板（サブブロック）に与えられ、あくまで各種映像や音響演出にのみ用いられるものであるから遊技結果に影響を及ぼすことはない。
【００４８】
投入コイン詰まり返却ボタン２８は、遊技コイン投入口５に続いて遊技メダルが通過する遊技コインセレクター（図示せず）に詰まった遊技メダルを返却する時に使用する。なお、この投入コイン詰まり返却ボタン２８を押すと、後述する第２基板４０が第１基板３０から離間し、詰まった遊技メダルが落下してメダル払出口１６から受け皿１５に戻される。
【００４９】
前扉１ｂは更に、透明パネル２１及び操作部を取り囲むように配置されたスピーカ部１２及び遊技状態表示ＬＥＤ部１３を有している。スピーカ部１２は、前扉１ｂの最上部に配置された左上スピーカ１２ａ、右上スピーカ１２ｂ、操作部より下に配置された左下スピーカ１２ｃ及び右下スピーカ１２ｄの４スピーカで構成されており、各種演出に応じた効果音や段階設定値の変更中に警告音を発生する。なお、図示していないが、実際には左下スピーカ１２ｃ及び右下スピーカ１２ｄの上面全体を覆うように保護用のスピーカグリルが取り付けられている。  遊技状態表示ＬＥＤ部１３は、表示演出装置１１の最上部に設けられた上部状態表示ＬＥＤ１３ａと、更に両側面に設けられた左上状態表示ＬＥＤ１３ｂ、右上状態表示ＬＥＤ１３ｃ、左中状態表示ＬＥＤ１３ｄ、右中状態表示ＬＥＤ１３ｅ、左下状態表示ＬＥＤ１３ｆ及び右下状態表示ＬＥＤ１３ｇとで構成されており、各種の光演出を効果的に行う。また、段階設定値の変更中には、警告表示として点滅を繰り返す。
【００５０】
前扉１ｂの最下部には受け皿１５が設けられている。この受け皿１５は、メダル払出装置（図示省略）からコイン払出口１６を経て払い出された遊技メダルを一時的に貯留する皿状部であり、その数として数百枚程度まで受けることができる。
【００５１】
一方、前扉１ｂの最上部には、ロゴパネル部１７が設けられている。ロゴパネル部１７は、例えば出願人の名称である「ＮＥＴ」（ Next Entertainment Trend ）又は機種名など、各種商標表示を施すのに使用される。
【００５２】
以上が回胴式遊技機１の外観及び基本構造の説明である。次にこの回胴式遊技機１に用いられている本実施形態のコインセレクタの構成を説明する。
【００５３】
図２は本実施形態のコインセレクタの三面図であり、図２（ａ）は平面図、図２（ｂ）は側面図、及び図２（ｃ）は正面図である。また、図３は同コインセレクタにおける制御系の構成を示すフローチャート、及び図４は同制御系によるセレクト動作を示すタイミングチャートである。
【００５４】
本実施形態のコインセレクタは、図２（ａ）〜（ｃ）に示すように、垂直に固定された主基板としての第１基板３０と、第１基板３０の一方の側面側、すなわち第１基板３０の表面側に所定の隙間をあけて平行配置された第２基板４０とを備えている。第１基板３０と第２基板４０との間には、コイン９０を自重によって通過させるコイン通過路５０が形成されている。
【００５５】
コイン通過路５０は、下レール３１と上レール３２との間に、左上のコイン投入口５１から右下のコイン排出口５２に向かって緩やかに下る通過路であって、湾曲した変Ｌ字状に形成されており、より詳しくは、コイン投入口近傍の垂直部と、これに続く湾曲部と、湾曲部からコイン排出口５２に至る下降傾斜部とからなる。下レール３１及び上レール３２は、第１基板３０の一方の側面に一体的に形成されており、上レール３２は、変Ｌ字状の下レール３１の中間部から下流部にかけての下降傾斜直線部に平行な直線傾斜レールである。
【００５６】
コイン投入口５１の近傍には、ガイドローラ５３が設けられている。ガイドローラ５３は、コイン通過路５０の湾曲部内側にあって、コイン投入口５１の幅を正規サイズのコイン９０の外径（例えば、スロットマシンでは直径２５ｍｍ又は直径３０ｍｍ）に一致させると共に、コイン９０の投入操作をスムーズにするために存在する。つまり、コイン投入口５１近傍の下レール端部３１ａとガイドローラ５３とで決まる内側の幅により、投入されるコインの最大径を規制し、正規コインのプラス誤差を超える大径コインが投入されるのを排除している。また、このガイドローラ５３は、下レール３１及び上レール３２などと共に、主基板である第１基板３０の一方の側面、すなわち第１基板３０の表面に回転自在に取付けられている。
【００５７】
第２基板４０は、第１基板３０の一方の側面側に配置された押さえプレート（カバー）であり、前述したガイドローラ５３、後述するコインセンサ６０、自店コイン回収用電磁式キッカー７０及び他店コイン回収用電磁式キッカー７５と干渉を回避するための切欠き部を残して、コイン通過路５０の一方の側壁を形成している。
【００５８】
特に、この切欠き部は、自店コイン回収用電磁式キッカー７０及び他店コイン回収用電磁式キッカー７５との干渉を回避するための切欠き部であり、自店コイン回収用電磁式キッカー７０によって第１基板３０の一方の側面側、すなわち第１基板３０の表面側に自店のコイン９０を強制排出するために形成された自店コイン回収口５４、及び他店コイン回収用電磁式キッカー７５によって第１基板３０の表面側に他店のコイン９０を強制排出するために形成された他店コイン回収口５５となる。
【００５９】
この自店コイン回収口５４は、コイン通過路５０の下降傾斜部中のコインセンサ６０とキッカーヘッド７３との間に形成されており、より詳しくは、下レール３２からの高さが下流側へ向かって漸次増大する三角形状に形成されている。自店コイン回収口５４の長さは、規定のコイン９０の直径より大きく設定されている。これらにより、自店コイン回収用電磁式キッカー７０による表面側へのキック動作がなければ、コイン９０はコイン排出口５２に至り、自店コイン回収用電磁式キッカー７０による側方へのキック動作があった場合は、コイン９０はコイン排出口５２の手前でこの自店コイン回収口５４から側方へ強制排出されて、ホッパー内へ落下する。
【００６０】
また、他店コイン回収口５５は、更に下流部のキッカーヘッド７３とキッカーヘッド７８との間に形成されている。なお、この実施例では、自店コイン回収用電磁式キッカー７０を上流側に、及び他店コイン回収用電磁式キッカー７５を下流側に配置しているが、逆の配置を採用しても何ら問題はない。自店コイン回収用電磁式キッカー７０のキック動作がなく、コイン排出口５２に向かうコイン９０に対して、他店コイン回収用電磁式キッカー７５による側方へのキック動作があった場合は、コイン９０はコイン排出口５２の手前で他店コイン回収口５５から側方へ強制排出されて、他店コイン回収ボックス内へ落下するようになっている。
【００６１】
コイン通過路５０には、コイン識別装置１００、コインセンサ６０、自店コイン回収用電磁式キッカー７０及び他店コイン回収用電磁式キッカー７５が、コイン通過路５０の上流側から下流側へ向かって順番に設けられている。コインセンサ６０は、コイン通過路５０の中間部、より詳しくは下降傾斜部の最上流部に設けられており、コイン通過路５０の下部（下レール３１付近）に設けられた第１のフォトセンサ６１と、上部（上レール３２付近）に設けられた第２のフォトセンサ６２との組合せにより構成されている。フォトセンサ６１，６２はいずれも発光素子及び受光素子を組み合わせた光軸センサ（フォトインタラプタ）からなり、両素子の光軸を物体が横切ったときにＯＮ・ＯＦＦの検出信号を出力する構成である。
【００６２】
そして、下側の第１フォトセンサ６１はコイン通過路５０を通過するコイン９０の下縁部を検知できる位置に設けられており、上側の第２フォトセンサ６２は、第１フォトセンサ６２より若干上流側にあって、コイン通過路５０を通過するコイン９０の上縁部、より詳しくは規定のコイン９０の上縁部をギリギリ検知できる位置に設けられている。このため、小さめの誤差範囲に収まる規定コイン９０より小径の規定外コイン９０（硬貨等）が通過したときは、第１フォトセンサ６１は検出信号を出力するが、第２フォトセンサ６２は検出信号を出力しない。つまり、第１フォトセンサ６１のみが検出信号を出力した場合は、通過中のコイン９０が小径の規定外コインと判別可能となる。これにより、規定コイン９０より小径の規定外コイン９０（硬貨等）の投入が検知される。
【００６３】
自店コイン回収用電磁式キッカー７０は、第１フォトセンサ６１とコイン排出口５２との略中間位置にあり、主基板である第１基板３０の他方の側面（裏面）に、一方の側面（表面）の側を向けて直角に取付けられている。この自店コイン回収用電磁式キッカー７０は、ソレノイドを内蔵する本体７１と、本体７１を貫通するプランジャー７２とを備えており、本体７１が第１基板３０の裏面に固着され、プランジャー７２の先端部が円錐状のキッカーヘッド７３である。非通電時、プランジャー７２はスプリング７４によって後方の退避位置に保持されており、この状態で、キッカーヘッド７３はコイン通過路５０の外に退出している。通電が行われると、プランジャー７２はスプリング７４による付勢力に抗して前方へ進出し、キッカーヘッド７３をコイン通過路５０内に側方から進出させる。この進出のために、第１基板３０には円形の貫通孔が設けられている。
【００６４】
同様に、他店コイン回収用電磁式キッカー７５は、コイン通過路５０のコイン排出口５２の近傍、より詳しくは下降傾斜部の最下流部で且つ下部にあり、主基板である第１基板３０の裏面に、一方の側面（表面）の側を向けて直角に取付けられている。この他店コイン回収用電磁式キッカー７５は、ソレノイドを内蔵する本体７６と、本体７６を貫通するプランジャー７７とを備えており、本体７６が第１基板３０の裏面に固着され、プランジャー７７の先端部が円錐状のキッカーヘッド７８である。非通電時、プランジャー７７はスプリング７９によって後方の退避位置に保持されており、この状態で、キッカーヘッド７８はコイン通過路５０の外に退出している。通電が行われると、プランジャー７７はスプリング７９による付勢力に抗して前方へ進出し、キッカーヘッド７８をコイン通過路５０内に側方から進出させる。この進出のために、第１基板３０には円形の貫通孔が設けられている。
【００６５】
コイン識別装置１００は、投入されたコインが自店コインか否かを検出する検出器であって、コイン投入口５１からコインセンサ６０までのコイン通過路５０中にあり、主基板である第１基板３０の裏面に取付けられている。また、第１基板３０には、コイン識別装置１００を取付ける円形の貫通孔が設けられている。
【００６６】
図３は、コイン識別装置１００が用いる自他店コインの検出方法の説明図であり、図３（ａ）〜図３（ｄ）はコイン９０の形状を示し、図３（ｅ）はコイン９０の凹凸部を検出する検出部を示すブロック構成図である。
【００６７】
コイン９０の片面又は両面には、例えば店舗識別パターンとしての複数の同心円状の凹凸部が刻印され、同心円状の凹凸部のパターンを店舗ごとに異なるようにする。店舗識別パターンとしては、同心円状の凹凸部の他、凹凸の刻印、突起等であってもよい。
【００６８】
１０２は、コイン識別装置１００が備える光学センサ（読み取り手段）であり、発光ダイオード２ｂおよびフォトトランジスタ２ｃなど光学的にコイン９０の溝のパターンを読み取る。
【００６９】
１０３は、光学センサ１０２によって読み取られた測定パターンを経時的に記憶するＲＡＭ（記憶手段）である。
【００７０】
１０４は、各店舗ごとに定められたコイン９０の凹凸部のパターンに対応した正規のデータが記憶されたＲＯＭである。
【００７１】
１０５は、ＲＡＭ１０３からの測定パターンとＲＯＭ１０４からの正規のパターン（自店舗識別パターン）とを比較し、一致するか否かを判別する判別手段である。
【００７２】
次に、コイン識別装置１００の動作について説明する。
【００７３】
図３（ｃ）に示すように、コイン９０に設けられた刻印の凸を１、凹を０とすると、コイン９０の断面は一定のビットパターンになる。コイン９０は丸いので、コイン９０の通過部の中央に凹凸部を読み取る光学センサ１０２を配置すれば、そのビットパターンを読み取ることができる。しかも、２度読み取ることができるので、読み取り信頼性能も高く、コイン９０に傷や埃がある場合でも、２度読み取ることで正確に判別することができる。
【００７４】
また、図３（ｄ）に示すように、光学センサ１０２では、遮蔽板２ａを挟んで対向した位置に発光ダイオード２ｂとフォトトランジスタ２ｃを配置する。コイン９０の通路の中央部にこの光学センサ１０２を置き、コイン９０を通過させると、Ｐ１の位置ではフォトトランジスタ２ｃの入光量は少なく、Ｐ２の位置では入光量は大きくなる。このようにして、コイン９０の表面の凹凸部を読み取ることができる。
【００７５】
さらに、図３（ｅ）で示すように、光学センサ１０２によって読み取られたパターンをＲＡＭ１０３で経時的に記憶させる。判別手段１０５では、ＲＡＭ１０３からの測定パターンとＲＯＭ１０４に記憶された各店舗ごとのコインの正規のパターンとを比較し、一致するか否かを判別する。
【００７６】
ところで、読み取りのための光学センサ１０２の数は、コイン９０の両面に刻印があれば一つで十分であり、かつコイン９０は自然落下でよいので、コイン定置や送りなどの複雑な機構は不要である。また光学センサ１０２からの信号はシリアルで入力されるので入出力点数の少ない安価なワンチップ・マイコンにて処理、判断ができる。また、小型化、量産化が可能であるため、回胴式遊技機に内蔵することができる。
【００７７】
なお、上記実施例では、コイン９０の凹凸部によりビット割付を行なったが、ビット割付は凹凸部だけでなく、立ち下がりや立ち上がりにビットを割り当ててもよい。また、スクランブルをかけたり、暗号化することにより、一店舗で複数の刻印パターンを使用してもよい。また、同心円状のパターンをコインの全面に刻印しなくともよく、コインの円周に近い部分または中心部のみにあっても、その中間にあってもよく、この場合、従来例同様、店名や記号を刻印することは可能である。さらに同心円状のパターンは凹凸部だけではなく、凹み角度（傾斜）や表面あらさを使用してもよい。
【００７８】
また、凹凸部の刻印の代わりにコインを磁化させ、この磁化させたコインを磁気センサにより読み取ってもよい。さらに、光学センサ１０２の代わりに渦電流を応用したいわゆる近接スイッチを使用することもできる。この場合、コインの汚れの影響を光学センサ１０２より比較的受けない。単純な方法としては、コイン通過路５０を通過中のコイン９０の画像を認識し、自店コインか否かを判別するだけでもよい。
【００７９】
更に、コイン識別装置１００が自他店コインを検出する方法として、特開２００４−２２２８７７に開示されている様に、遊技メダルの本体板の両面中央の凹部に、会社番号，店舗番号及び付加情報を含んだ複数ビットから成るＩＤ情報を有した円形バーコードによるホログラムを転写した遊技メダルを使用し、パチスロのメダル投入口に連通したメダル導入路の途中に設置したＩＤ読み取り装置により遊技メダルのＩＤ情報を常時読み取り監視し、該パチスロの記憶部に登録されているＩＤ情報と比較検出を行うことにより、自他店コインを判別することができる。
【００８０】
なお、本実施形態では、第２基板４０は第１基板３０に固定されているが、実機では投入コイン詰まり返却ボタン２８と機械的に連繋しており、投入コイン詰まり返却ボタン２８の押し込み操作により第１基板３０から離反する構成とされる。
【００８１】
次に、本実施形態のコインセレクタの制御部の構成及び動作を図４のフローチャート及び図５のタイミングチャートに基づいて説明する。
【００８２】
制御部のハードウェアは、ＣＰＵにＲＯＭ及びＲＡＭを組み合わせた周知のマイコンシステムである。そのマイコンシステムのＲＯＭに格納さているソフトフェアを示したのが図４のフローチャートである。
【００８３】
当該ルーチンがスタートすると、まずステップＳ１でコイン投入受け付け可否信号が取り込まれる。例えばコインのクレジット枚数が限界値に達しているときは、コイン投入受け付け可否信号は不可信号であり、クレジット枚数が限界値に達していないときは受け付け可能信号である。
【００８４】
ステップＳ１でコイン投入受け付け可否信号が取り込まれると、ステップＳ２で、その信号が受け付け可能信号か受け付け不可信号かが判定される。受け付け不可の場合は、ステップＳ１１で自店コイン回収用電磁式キッカー７０及び他店コイン回収用電磁式キッカー７５のソレノイドを共にオフにして、ステップＳ１に戻る。受け付け可能の場合はステップＳ３へ移行する。
【００８５】
ステップＳ３では、第１のフォトセンサ６１の検出信号（コインの下側検出信号）が取り込まれる。この信号取り込みが終わると、ステップＳ４に移行し、取り込み信号がオンかオフかが判定される。第１のフォトセンサ６１の検出信号がオンの場合は、ステップＳ５に移行し、オフの場合はステップＳ３に戻る。
【００８６】
ステップＳ５では、第２のフォトセンサ６２の検出信号（コインの上側検出信号）が取り込まれる。この信号取り込みが終わると、ステップＳ６に移行し、取り込み信号がオンかオフかが判定される。第２のフォトセンサ６２の検出信号がオンの場合は、ステップＳ７に移行する。
【００８７】
一方、第２のフォトセンサ６２の検出信号がオフの場合は、ステップＳ１１に移行し、両ソレノイドへの通電が停止されてから、ステップＳ１に戻る。
【００８８】
ステップＳ７では、コイン識別装置１００の検出信号（自他店コイン検出信号）が取り込まれ、コイン通過路５０を通過中のコイン９０が自店コインか他店コインかを判定される。
【００８９】
自店コインの場合は、ステップＳ８で自店コイン回収用電磁式キッカー７０のソレノイドに通電が行われ、引き続きステップＳ９でコインのカウント信号が出力される。一方、他店コインの場合は、ステップＳ１０で他店コイン回収用電磁式キッカー７５のソレノイドに通電が行われ、引き続きステップＳ９でコインのカウント信号が出力される。なお、ステップＳ９でのコインのカウントに加え、他店メダルの数だけを別にカウントし、所定数（例えば、１００枚程度）に達したらエラー処理を行うようにしてもよい。このエラー処理としては、表示演出装置１１にエラー表示をして、遊技状態表示ＬＥＤ部１３の発光とスピーカ部１２からの警告音を発生させる。
【００９０】
このような制御部の構成により、本実施形態のコインセレクタでは図５のようなセレクト動作が実行される。
【００９１】
コイン投入受け付け不可状態のときは、フォトセンサ６１，フォトセンサ６２の出力状態に関係なく、自店コイン回収用電磁式キッカー７０及び他店コイン回収用電磁式キッカー７５のソレノイドはオフ状態である。その結果、自店コイン回収用電磁式キッカー７０のプランジャー７２はスプリング７４によって後方の退避位置に保持されており、キッカーヘッド７３はコイン通過路５０の外に退出している。同様に、他店コイン回収用電磁式キッカー７５のキッカーヘッド７８もコイン通過路５０の外に退出している。
【００９２】
このため、コインセレクタのコイン通過路５０に投入されたコイン９０は、規定コインも硬貨のような小径の規定外コインもコイン通過路５０をスルーしてコイン排出口５２から排出され、カウントも寸法チェックも行われない。排出されたコイン９０は、遊技機の前扉に設けられた返却口へ送られる。
【００９３】
これにより、自店コイン回収用電磁式キッカー７０及び他店コイン回収用電磁式キッカー７５のソレノイドの発熱が防止される。すなわち、自店コイン回収用電磁式キッカー７０のソレノイドは、待ち受けの間中、非通電状態となり、遊技されない日は終日、非通電状態が続くため、コイルの発熱の問題は生じない。また、計時手段により所定時間（例えば、１〜３分程度）操作がされない場合、両ソレノイドの通電をオフするようにしてもよい。
【００９４】
コイン投入受け付け可能状態のときは、コイン投入口５１からコイン通過路５０に投入されたコイン９０は、まず第１のフォトセンサ６１により下縁部が検出される。投入コイン９０が規定コインのときは、第１のフォトセンサ６１がコインの下縁部を検出する前に第２のフォトセンサ６２により上縁部も検出され、その検出結果を保持する。
【００９５】
また、コイン識別装置１００の判別結果に応じて、自店コイン回収用電磁式キッカー７０又は他店コイン回収用電磁式キッカー７５の何れか一方のソレノイドに通電が行われ、プランジャー７２又は７７がスプリング７４又は７９による付勢力に抗して前方へ進出して、キッカーヘッド７３又は７８をコイン通過路５０に側方から進出させる。
【００９６】
このため、そのコイン９０は、コイン排出口５２に至ることなく、自店コイン回収口５４又は他店コイン回収口５５から側方へ強制排出される。自店コイン回収口５４に排出されたコイン９０は有効コインであって、ホッパーへ送られる。つまり、コインセンサ６０によるコイン検査の後に自店コイン回収用電磁式キッカー７０が作動するので、オーバーカウント状態でコイン９０の投入が行われる事態が回避され、その結果として飲み込み現象が防止される。また、他店コイン回収口５５に排出されたコイン９０も有効コインとして、他店コイン回収ボックスへ送られるので、自他店コインを分別回収できる。
【００９７】
自店コイン回収用電磁式キッカー７０は、一旦ソレノイドに通電が行われると、通電停止信号を受けるまで通電状態を継続する構成になっている。このため、規定のコイン９０の投入が続くときは、キッカーヘッド７３がコイン通過路５０に進出したままとなり、投入されるコイン９０が次々とカウントされながら自店コイン回収口５４から強制排出される。これにより、自店コイン回収用電磁式キッカー７０の頻繁な動作が回避される。また、自店コイン回収用電磁式キッカー７０と他店コイン回収用電磁式キッカー７５は、何れか一方だけが通電されるようになっており、キッカーヘッド７３及びキッカーヘッド７８の両方が同時にコイン通過路５０内に進出することはない。
【００９８】
この状態で、硬貨のような小径の規定外コイン９０が投入されると、第１のフォトセンサ６１により下縁部は検出されるが、第２のフォトセンサ６２による上縁部の検出は行われない。これにより、自店コイン回収用電磁式キッカー７０及び他店コイン回収用電磁式キッカー７５のソレノイドへの通電が停止され、キッカーヘッド７３及びキッカーヘッド７８が共にコイン通過路５０の外に退出した状態になる。このため、そのコイン９０は、自店コイン回収口５４及び他店コイン回収口５５をスルーしてコイン排出口５２から排出され、カウントも行われない。排出されたコイン９０は返却口へ戻ることになる。
【００９９】
コイン投入受け付け可能状態のときに、コイン９０がコイン通過路５０を逆行してエラー信号が出力されると、コイン投入受け付け不可状態になり、リセット信号が出力されるまでこの状態が続く。
【図面の簡単な説明】
【０１００】
【図１】本発明のコインセレクタを用いた回胴式遊技機の正面図である。
【図２】（ａ）はコインセレクタの平面図、（ｂ）は正面図、及び（ｃ）は正面図である。
【図３】自他店コインの検出方法の説明図である。
【図４】コインセレクタの制御部の構成を示すフローチャートである。
【図５】コインセレクタの動作を示すタイミングチャートである。
【符号の説明】
【０１０１】
１        回胴式遊技機
１ａ      筐体
１ｂ      前扉
２        ドラム部
５        メダル投入口
６        精算ボタン
７        １ベットボタン
８        マックスベットボタン
９        スタートレバー（回胴回転始動装置）
１０      停止ボタン部
１１      表示演出装置
１２      スピーカ部
１３      遊技状態表示ＬＥＤ部
１４      ドア鍵穴
１５      受け皿
１６      メダル払出口
１８      メダル払出装置
１９      スペシャルボタン
２８      投入メダル詰まり返却ボタン
３０      第１基板
４０      第２基板
５０      コイン通過路
５１      コイン投入口
５２      コイン排出口
５４      自店コイン回収口
５５      他店コイン回収口
６０      コインセンサ
６１，６２フォトセンサ
７０      自店コイン回収用電磁式キッカー
７３      キッカーヘッド
７５      他店コイン回収用電磁式キッカー
７８      キッカーヘッド
９０      コイン
１００    コイン識別装置
【図１】
2009034181.tif 000003
【図２】
2009034181.tif 000004
【図３】
2009034181.tif 000005
【図４】
2009034181.tif 000006
【図５】
2009034181.tif 000007
【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
コイン投入口から投入されコイン通過路を通過するコインの内、受け入れないコインをコイン排出口から排出して返却口へ戻すコインセレクタにおいて、
前記コイン通過路の湾曲部内側にあって、前記コイン投入口の幅をコインの外径に一致させるために前記コイン投入口の近傍に設けられたガイドローラと、
投入されたコインの種類を識別するコイン識別装置と、
前記コイン投入口から前記コイン排出口までのコイン通過路中に出入するキッカーヘッドを備える複数の回収用電磁式キッカーと、
前記キッカーヘッドの突出と退出とを制御する制御部とを具備し、
前記制御部は、前記コイン識別装置が識別したコインの種類に応じて前記複数の回収用電磁式キッカーが備えるキッカーヘッドの突出と退出とを制御すると共に、前記複数の回収用電磁式キッカーの何れか一つだけに通電し、同時に前記コイン通過路内に進出させないこと、
を特徴とするコインセレクタ。
【請求項２】
請求項１に記載のコインセレクタにおいて、
前記制御部は、前記複数の回収用電磁式キッカーが備えるキッカーヘッドを突出させることのよりコイン回収口に排出されたコインを有効コインとして分別回収すること、
を特徴とするコインセレクタ。
【請求項３】
コイン投入口から投入されコイン通過路を通過するコインの内、受け入れないコインをコイン排出口から排出して返却口へ戻すコインセレクタを具備するスロットマシンにおいて、
前記コイン通過路の湾曲部内側にあって、前記コイン投入口の幅をコインの外径に一致させるために前記コイン投入口の近傍に設けられたガイドローラと、
投入されたコインの種類を識別するコイン識別装置と、
前記コイン投入口から前記コイン排出口までのコイン通過路中に出入するキッカーヘッドを備える複数の回収用電磁式キッカーと、
前記キッカーヘッドの突出と退出とを制御する制御部とを具備し、
前記制御部は、前記コイン識別装置が識別したコインの種類に応じて前記複数の回収用電磁式キッカーが備えるキッカーヘッドの突出と退出とを制御すると共に、前記複数の回収用電磁式キッカーの何れか一つだけに通電し、同時に前記コイン通過路内に進出させないこと、
を特徴とするスロットマシン。
【請求項４】
請求項３に記載のスロットマシンにおいて、
前記制御部は、前記複数の回収用電磁式キッカーが備えるキッカーヘッドを突出させることのよりコイン回収口に排出されたコインを有効コインとして分別回収すること、
を特徴とするスロットマシン。
【請求項５】
コインをコイン投入口から投入し、コイン通過路を通過したコインの内、受け入れるコインをコイン回収口から回収する一方、受け入れないコインをコイン排出口から排出して返却口へ戻すコインセレクタにおいて、
前記コイン通過路の湾曲部内側にあって、前記コイン投入口の幅をコインの外径に一致させるために前記コイン投入口の近傍に設けられたガイドローラと、
投入された前記コインが自店コインか否かを識別するコイン識別装置と、
前記コイン投入口から前記コイン排出口までのコイン通過路中に出入するキッカーヘッドを備える自店コイン回収用電磁式キッカー及び他店コイン回収用電磁式キッカーと、
前記コインが通路する経路の切り換えを制御する制御部とを具備し、
前記制御部は、通過するコインを受け入れない場合、前記自店コイン回収用電磁式キッカー及び前記他店コイン回収用電磁式キッカー共に通電せずに前記コイン排出口からコインを排出するのに対して、通過するコインを受け入れる場合、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、同時に前記コイン通過路内に進出させないこと、
を特徴とするコインセレクタ。
【請求項６】
コインをコイン投入口から投入し、コイン通過路を通過したコインの内、受け入れるコインをコイン回収口から回収する一方、受け入れないコインをコイン排出口から排出して返却口へ戻すコインセレクタを具備するスロットマシンにおいて、
前記コイン通過路の湾曲部内側にあって、前記コイン投入口の幅をコインの外径に一致させるために前記コイン投入口の近傍に設けられたガイドローラと、
投入された前記コインが自店コインか否かを識別するコイン識別装置と、
前記コイン投入口から前記コイン排出口までのコイン通過路中に出入するキッカーヘッドを備える自店コイン回収用電磁式キッカー及び他店コイン回収用電磁式キッカーと、
前記コインが通路する経路の切り換えを制御する制御部とを具備し、
前記制御部は、通過するコインを受け入れない場合、前記自店コイン回収用電磁式キッカー及び前記他店コイン回収用電磁式キッカー共に通電せずに前記コイン排出口からコインを排出するのに対して、通過するコインを受け入れる場合、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、同時に前記コイン通過路内に進出させないこと、
を特徴とするスロットマシン。
【請求項７】
コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタにおいて、
前記コイン通過路の湾曲部内側にあって、前記コイン投入口の幅をコインの外径に一致させるために前記コイン投入口の近傍に設けられたガイドローラと、
前記自店コイン回収用電磁式キッカー及び前記他店コイン回収用電磁式キッカーへの通電と非通電を切り換えて各キッカーヘッドの前記コイン通過路への突出と退出とを制御する制御部とを具備し、
前記コイン識別装置は、投入されたコインが自店コインか否かを検出し、
前記コインセンサは、通過するコインの下縁部及び上縁部を検知し、
前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させること、
を特徴とするコインセレクタ。
【請求項８】
コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタを具備するスロットマシンにおいて、
前記コイン通過路の湾曲部内側にあって、前記コイン投入口の幅をコインの外径に一致させるために前記コイン投入口の近傍に設けられたガイドローラと、
前記自店コイン回収用電磁式キッカー及び前記他店コイン回収用電磁式キッカーへの通電と非通電を切り換えて各キッカーヘッドの前記コイン通過路への突出と退出とを制御する制御部とを具備し、
前記コイン識別装置は、投入されたコインが自店コインか否かを検出し、
前記コインセンサは、通過するコインの下縁部及び上縁部を検知し、
前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させ、且つ、前記自店コイン回収用電磁式キッカー又は前記他店コイン回収用電磁式キッカーの何れか一つだけに通電し、同時に前記コイン通過路内に進出させないこと、
を特徴とするスロットマシン。
【手続補正２】
【補正対象書類名】明細書
【補正対象項目名】００１８
【補正方法】変更
【補正の内容】
【００１８】
上記目的を達成するために、請求項１に係る本発明のコインセレクタは、コイン投入口から投入されコイン通過路を通過するコインの内、受け入れないコインをコイン排出口から排出して返却口へ戻すコインセレクタにおいて、前記コイン通過路の湾曲部内側にあって、前記コイン投入口の幅をコインの外径に一致させるために前記コイン投入口の近傍に設けられたガイドローラと、投入されたコインの種類を識別するコイン識別装置と、前記コイン投入口から前記コイン排出口までのコイン通過路中に出入するキッカーヘッドを備える複数の回収用電磁式キッカーと、前記キッカーヘッドの突出と退出とを制御する制御部とを具備し、前記制御部は、前記コイン識別装置が識別したコインの種類に応じて前記複数の回収用電磁式キッカーが備えるキッカーヘッドの突出と退出とを制御すると共に、前記複数の回収用電磁式キッカーの何れか一つだけに通電し、同時に前記コイン通過路内に進出させないことを特徴とする。
【手続補正３】
【補正対象書類名】明細書
【補正対象項目名】００１９
【補正方法】変更
【補正の内容】
【００１９】
請求項２に係る本発明のコインセレクタは、請求項１に記載のコインセレクタにおいて、前記制御部は、前記複数の回収用電磁式キッカーが備えるキッカーヘッドを突出させることのよりコイン回収口に排出されたコインを有効コインとして分別回収することを特徴とする。
【手続補正４】
【補正対象書類名】明細書
【補正対象項目名】００２０
【補正方法】変更
【補正の内容】
【００２０】
請求項３に係る本発明のスロットマシンは、コイン投入口から投入されコイン通過路を通過するコインの内、受け入れないコインをコイン排出口から排出して返却口へ戻すコインセレクタを具備するスロットマシンにおいて、前記コイン通過路の湾曲部内側にあって、前記コイン投入口の幅をコインの外径に一致させるために前記コイン投入口の近傍に設けられたガイドローラと、投入されたコインの種類を識別するコイン識別装置と、前記コイン投入口から前記コイン排出口までのコイン通過路中に出入するキッカーヘッドを備える複数の回収用電磁式キッカーと、前記キッカーヘッドの突出と退出とを制御する制御部とを具備し、前記制御部は、前記コイン識別装置が識別したコインの種類に応じて前記複数の回収用電磁式キッカーが備えるキッカーヘッドの突出と退出とを制御すると共に、前記複数の回収用電磁式キッカーの何れか一つだけに通電し、同時に前記コイン通過路内に進出させないことを特徴とする。
【手続補正５】
【補正対象書類名】明細書
【補正対象項目名】００２１
【補正方法】変更
【補正の内容】
【００２１】
請求項４に係る本発明のスロットマシンは、請求項３に記載のスロットマシンにおいて、前記制御部は、前記複数の回収用電磁式キッカーが備えるキッカーヘッドを突出させることのよりコイン回収口に排出されたコインを有効コインとして分別回収することを特徴とする。
【手続補正６】
【補正対象書類名】明細書
【補正対象項目名】００２２
【補正方法】変更
【補正の内容】
【００２２】
請求項５に係る本発明のコインセレクタは、コインをコイン投入口から投入し、コイン通過路を通過したコインの内、受け入れるコインをコイン回収口から回収する一方、受け入れないコインをコイン排出口から排出して返却口へ戻すコインセレクタにおいて、前記コイン通過路の湾曲部内側にあって、前記コイン投入口の幅をコインの外径に一致させるために前記コイン投入口の近傍に設けられたガイドローラと、投入された前記コインが自店コインか否かを識別するコイン識別装置と、前記コイン投入口から前記コイン排出口までのコイン通過路中に出入するキッカーヘッドを備える自店コイン回収用電磁式キッカー及び他店コイン回収用電磁式キッカーと、前記コインが通路する経路の切り換えを制御する制御部とを具備し、前記制御部は、通過するコインを受け入れない場合、前記自店コイン回収用電磁式キッカー及び前記他店コイン回収用電磁式キッカー共に通電せずに前記コイン排出口からコインを排出するのに対して、通過するコインを受け入れる場合、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、同時に前記コイン通過路内に進出させないことを特徴とする。
【手続補正７】
【補正対象書類名】明細書
【補正対象項目名】００２３
【補正方法】変更
【補正の内容】
【００２３】
請求項６に係る本発明のスロットマシンは、コインをコイン投入口から投入し、コイン通過路を通過したコインの内、受け入れるコインをコイン回収口から回収する一方、受け入れないコインをコイン排出口から排出して返却口へ戻すコインセレクタを具備するスロットマシンにおいて、前記コイン通過路の湾曲部内側にあって、前記コイン投入口の幅をコインの外径に一致させるために前記コイン投入口の近傍に設けられたガイドローラと、投入された前記コインが自店コインか否かを識別するコイン識別装置と、前記コイン投入口から前記コイン排出口までのコイン通過路中に出入するキッカーヘッドを備える自店コイン回収用電磁式キッカー及び他店コイン回収用電磁式キッカーと、前記コインが通路する経路の切り換えを制御する制御部とを具備し、前記制御部は、通過するコインを受け入れない場合、前記自店コイン回収用電磁式キッカー及び前記他店コイン回収用電磁式キッカー共に通電せずに前記コイン排出口からコインを排出するのに対して、通過するコインを受け入れる場合、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、同時に前記コイン通過路内に進出させないことを特徴とする。
【手続補正８】
【補正対象書類名】明細書
【補正対象項目名】００２４
【補正方法】変更
【補正の内容】
【００２４】
請求項７に係る本発明のコインセレクタは、コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタにおいて、前記コイン通過路の湾曲部内側にあって、前記コイン投入口の幅をコインの外径に一致させるために前記コイン投入口の近傍に設けられたガイドローラと、前記自店コイン回収用電磁式キッカー及び前記他店コイン回収用電磁式キッカーへの通電と非通電を切り換えて各キッカーヘッドの前記コイン通過路への突出と退出とを制御する制御部とを具備し、前記コイン識別装置は、投入されたコインが自店コインか否かを検出し、前記コインセンサは、通過するコインの下縁部及び上縁部を検知し、前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させることを特徴とする。
【手続補正９】
【補正対象書類名】明細書
【補正対象項目名】００２５
【補正方法】変更
【補正の内容】
【００２５】
請求項８に係る本発明のスロットマシンは、コイン投入口からコイン排出口へ向かうコイン通過路が、第１基板と第２基板との間及び下レールと上レールとの間に形成されると共に、前記コイン通過路の中流にコインセンサが設けられ、前記コイン投入口と前記コインセンサの間にコイン識別装置が設けられ、前記コインセンサと前記コイン排出口の間に自店コイン回収用電磁式キッカー及び他店コイン回収用電磁式キッカーが前記第１基板の裏面に取付けられ、前記自店コイン回収用電磁式キッカーのキッカーヘッド及び前記他店コイン回収用電磁式キッカーのキッカーヘッドは共に非通電時において前記コイン通過路の外に退出し、前記コイン投入口から投入され自重により前記コイン通過路を通過したコインを前記コイン排出口から排出して返却口へ戻すコインセレクタを具備するスロットマシンにおいて、前記コイン通過路の湾曲部内側にあって、前記コイン投入口の幅をコインの外径に一致させるために前記コイン投入口の近傍に設けられたガイドローラと、前記自店コイン回収用電磁式キッカー及び前記他店コイン回収用電磁式キッカーへの通電と非通電を切り換えて各キッカーヘッドの前記コイン通過路への突出と退出とを制御する制御部とを具備し、前記コイン識別装置は、投入されたコインが自店コインか否かを検出し、前記コインセンサは、通過するコインの下縁部及び上縁部を検知し、前記制御部は、前記コインセンサが通過するコインの上縁部を検知しなかった場合、各キッカーヘッドを共に退出させる一方、前記コインセンサが通過するコインの上縁部及び下縁部を共に検知した場合、前記コイン識別装置が自店コインを検出したとき、前記自店コイン回収用電磁式キッカーのキッカーヘッドを退出位置から突出させるのに対し、前記コイン識別装置が他店コインを検出したとき、前記他店コイン回収用電磁式キッカーのキッカーヘッドを退出位置から突出させ、且つ、前記自店コイン回収用電磁式キッカー又は前記他店コイン回収用電磁式キッカーの何れか一つだけに通電し、同時に前記コイン通過路内に進出させないことを特徴とする。
【手続補正書】
【提出日】平成20年1月16日(2008.1.16)
【手続補正１】
【補正対象書類名】特許請求の範囲
【補正対象項目名】全文
【補正方法】変更
【補正の内容】
【特許請求の範囲】
【請求項１】
コインをコイン投入口から投入し、コイン通過路を通過したコインの内、受け入れるコインをコイン回収口から回収する一方、受け入れないコインをコイン排出口から排出して返却口へ戻すコインセレクタにおいて、
前記コイン通過路の湾曲部内側にあって、前記コイン投入口の幅をコインの外径に一致させるために前記コイン投入口の近傍に設けられたガイドローラと、
投入された前記コインが自店コインか否かを識別するコイン識別装置と、
前記コイン投入口から前記コイン排出口までのコイン通過路中に出入するキッカーヘッドを備える自店コイン回収用電磁式キッカー及び他店コイン回収用電磁式キッカーと、
前記コインが通路する経路の切り換えを制御する制御部とを具備し、
前記制御部は、通過するコインを受け入れない場合、通過するコインを有効コインとしてカウントすることなく、前記自店コイン回収用電磁式キッカー及び前記他店コイン回収用電磁式キッカー共に通電せずに前記コイン排出口からコインを排出するのに対して、通過するコインを受け入れる場合、通過するコインを有効コインとしてカウントし、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、前記自店コイン回収用電磁式キッカー及び前記他店コイン回収用電磁式キッカーの両方を同時に前記コイン通過路内に進出させないこと、
を特徴とするコインセレクタ。
【請求項２】
コインをコイン投入口から投入し、コイン通過路を通過したコインの内、受け入れるコインをコイン回収口から回収する一方、受け入れないコインをコイン排出口から排出して返却口へ戻すコインセレクタを具備するスロットマシンにおいて、
前記コイン通過路の湾曲部内側にあって、前記コイン投入口の幅をコインの外径に一致させるために前記コイン投入口の近傍に設けられたガイドローラと、
投入された前記コインが自店コインか否かを識別するコイン識別装置と、
前記コイン投入口から前記コイン排出口までのコイン通過路中に出入するキッカーヘッドを備える自店コイン回収用電磁式キッカー及び他店コイン回収用電磁式キッカーと、
前記コインが通路する経路の切り換えを制御する制御部とを具備し、
前記制御部は、通過するコインを受け入れない場合、通過するコインを有効コインとしてカウントすることなく、前記自店コイン回収用電磁式キッカー及び前記他店コイン回収用電磁式キッカー共に通電せずに前記コイン排出口からコインを排出するのに対して、通過するコインを受け入れる場合、通過するコインを有効コインとしてカウントし、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、前記自店コイン回収用電磁式キッカー及び前記他店コイン回収用電磁式キッカーの両方を同時に前記コイン通過路内に進出させないこと、
を特徴とするスロットマシン。
【手続補正２】
【補正対象書類名】明細書
【補正対象項目名】００１８
【補正方法】変更
【補正の内容】
【００１８】
上記目的を達成するために、請求項１に係る本発明のコインセレクタは、コインをコイン投入口から投入し、コイン通過路を通過したコインの内、受け入れるコインをコイン回収口から回収する一方、受け入れないコインをコイン排出口から排出して返却口へ戻すコインセレクタにおいて、前記コイン通過路の湾曲部内側にあって、前記コイン投入口の幅をコインの外径に一致させるために前記コイン投入口の近傍に設けられたガイドローラと、投入された前記コインが自店コインか否かを識別するコイン識別装置と、前記コイン投入口から前記コイン排出口までのコイン通過路中に出入するキッカーヘッドを備える自店コイン回収用電磁式キッカー及び他店コイン回収用電磁式キッカーと、前記コインが通路する経路の切り換えを制御する制御部とを具備し、前記制御部は、通過するコインを受け入れない場合、通過するコインを有効コインとしてカウントすることなく、前記自店コイン回収用電磁式キッカー及び前記他店コイン回収用電磁式キッカー共に通電せずに前記コイン排出口からコインを排出するのに対して、通過するコインを受け入れる場合、通過するコインを有効コインとしてカウントし、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、前記自店コイン回収用電磁式キッカー及び前記他店コイン回収用電磁式キッカーの両方を同時に前記コイン通過路内に進出させないことを特徴とする。
【手続補正３】
【補正対象書類名】明細書
【補正対象項目名】００１９
【補正方法】変更
【補正の内容】
【００１９】
請求項２に係る本発明のスロットマシンは、コインをコイン投入口から投入し、コイン通過路を通過したコインの内、受け入れるコインをコイン回収口から回収する一方、受け入れないコインをコイン排出口から排出して返却口へ戻すコインセレクタを具備するスロットマシンにおいて、前記コイン通過路の湾曲部内側にあって、前記コイン投入口の幅をコインの外径に一致させるために前記コイン投入口の近傍に設けられたガイドローラと、
投入された前記コインが自店コインか否かを識別するコイン識別装置と、前記コイン投入口から前記コイン排出口までのコイン通過路中に出入するキッカーヘッドを備える自店コイン回収用電磁式キッカー及び他店コイン回収用電磁式キッカーと、前記コインが通路する経路の切り換えを制御する制御部とを具備し、前記制御部は、通過するコインを受け入れない場合、通過するコインを有効コインとしてカウントすることなく、前記自店コイン回収用電磁式キッカー及び前記他店コイン回収用電磁式キッカー共に通電せずに前記コイン排出口からコインを排出するのに対して、通過するコインを受け入れる場合、通過するコインを有効コインとしてカウントし、前記コイン識別装置が前記コインを自店コインと識別したとき、前記自店コイン回収用電磁式キッカーに通電して前記コインが通路する経路を前記コイン回収口へ切り換える一方、自店コインと識別しなかったとき、前記他店コイン回収用電磁式キッカーに通電して前記コインが通路する経路を他店コイン回収口へ切り換えると共に、前記自店コイン回収用電磁式キッカー又は前記他店コイン回収用電磁式キッカーの何れか一つだけに通電し、前記自店コイン回収用電磁式キッカー及び前記他店コイン回収用電磁式キッカーの両方を同時に前記コイン通過路内に進出させないことを特徴とする。
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】削除
【補正の内容】
【手続補正９】
【補正対象書類名】明細書
【補正対象項目名】００２５
【補正方法】削除
【補正の内容】